(57)【要約】【課題】可動部のアンバランス化を抑制可能かつ容易に製造可能な光学ピックアップ装置の提供。【解決手段】一対のコイル基板２７２のトラッキングコイルを直列接続する第１のコイル接続部２９１を可動部２４にインサート成形して、第１のコイル接続部２９１の各トラッキング通電部２７３Ｅ，２７４Ｅの基板中間位置の一端を各トラッキング弾性部２７３Ｄ，２７４Ｄに接続するとともに、他端を位置調整方向Ｐ１，Ｐ２側のコイル基板２７２におけるトラッキング方向Ｔ１，Ｔ２側でトラッキングコイルに接続している。さらに、第１のコイル接続部２９１のトラッキングコイル接続部材２７５の一端、他端をそれぞれ位置調整方向Ｐ１，Ｐ２側のコイル基板２７２におけるトラッキング方向Ｔ２，Ｔ１側でトラッキングコイルに接続し、フォーカス方向Ｆ１から平面視で可動部２４の中心に対して略点対称な形状に形成している。【選択図】図８
2010176726.tif 000002
【特許請求の範囲】
【請求項１】
ベース部材と、このベース部材に固定される支持部と、レンズを有する可動部と、前記支持部に対して前記可動部を移動させる動作制御部と、を具備し、
前記動作制御部は、
コイルを保持し、前記可動部に設けられた一対のコイル保持部と、
前記コイルと隙間を介して略対向する状態で前記ベース部材に設けられた一対の磁石と、
前記コイル同士を直列に接続し、前記可動部にインサート成形されたコイル接続部と、
前記支持部と前記可動部とを連結するとともに前記コイル接続部に電気的に接続された第１の弾性部および第２の弾性部と、を備え、前記コイルへの通電により発生する電磁力で前記可動部を往復移動させ、
前記コイル接続部は、
前記一対のコイル保持部の中間に位置する一端がトラッキング方向の一方向側に設けられた前記第１の弾性部に接続されるとともに、他端が一方の前記コイル保持部における前記一方向側で前記コイルに接続された第１の通電部と、
前記中間に位置する一端が前記トラッキング方向の他方側に設けられた前記第２の弾性部に接続されるとともに、他端が前記他方のコイル保持部における前記他方向側で前記コイルに接続された第２の通電部と、
一端が前記一方のコイル保持部におけるトラッキング方向の他方向側で前記コイルに接続されるとともに、他端が他方の前記コイル保持部における前記一方向側で前記コイルに接続され、フォーカス方向からの平面視で前記可動部の中心に対して略点対称な形状に形成された第３の通電部と、を備えている
ことを特徴とする光学ピックアップ装置。
【請求項２】
請求項１に記載の光学ピックアップ装置において、
前記可動部は、前記平面視での前記可動部の中心を挟んで前記コイル保持部の並び方向に沿って設けられた２個の前記レンズを有し、
前記第３の通電部は、中間部が前記２個のレンズの間に位置する形状に形成されている
ことを特徴とする光学ピックアップ装置。
【請求項３】
請求項１または請求項２に記載の光学ピックアップ装置において、
前記第１の通電部、前記第２の通電部、および、前記第３の通電部は、前記フォーカス方向からの平面視で前記可動部の中心に対して略点対称な位置で前記コイル保持部に半田付けされている
ことを特徴とする光学ピックアップ装置。
【請求項４】
請求項１から請求項３のいずれかに記載の光学ピックアップ装置において、
前記一対のコイル保持部は、前記コイルの近傍に設けられた第１の近傍コイルおよび第２の近傍コイルと、を保持し、
前記動作制御部は、
前記第１の近傍コイル同士を直列に接続する第１の近傍コイル接続部と、
前記第２の近傍コイル同士を直列に接続する第２の近傍コイル接続部と、
前記支持部と前記可動部とを連結するとともに前記第１の近傍コイル接続部に電気的に接続され、前記フォーカス方向の一方向側で前記第１の弾性部に略対向し、かつ、互いに前記トラッキング方向に隣接した一対の第３の弾性部と、
前記支持部と前記可動部とを連結するとともに前記第２の近傍コイル接続部に電気的に接続され、前記フォーカス方向の一方向側で前記第２の弾性部に略対向し、かつ、互いに前記トラッキング方向に隣接した一対の第４の弾性部と、を備え、前記コイルへの通電により発生する電磁力で前記可動部を前記トラッキング方向に往復移動させ、前記第１の近傍コイルおよび前記第２の近傍コイルへの通電による電磁力で前記可動部を前記フォーカス方向およびチルト方向のうち少なくとも一方に往復移動させ、
前記第１の近傍コイル接続部および前記第２の近傍コイル接続部は、前記可動部の重心を前記可動部の中心に位置させる形状に形成されている
ことを特徴とする光学ピックアップ装置。
【請求項５】
請求項４に記載の光学ピックアップ装置において、
前記第１の弾性部および前記第２の弾性部は、前記トラッキング方向に隣接してそれぞれ一対ずつ設けられている
ことを特徴とする光学ピックアップ装置。
【請求項６】
請求項４または請求項５に記載の光学ピックアップ装置において、
前記第１の近傍コイル接続部および前記第２の近傍コイル接続部は、前記フォーカス方向からの平面視で前記可動部の中心に対して略点対称な位置で前記コイル保持部に半田付けされている
ことを特徴とする光学ピックアップ装置。
【発明の詳細な説明】
【技術分野】
【０００１】
本発明は、光学ピックアップ装置に関する。
【背景技術】
【０００２】
従来、ＣＤ（Compact Disc）やＤＶＤ（Digital Versatile Disc）あるいはＢＤ（Blu-ray Disc）などの記録媒体に記録されている情報を記録したり、または記録されている情報を再生したりする光学ピックアップ装置が知られている。（例えば、特許文献１参照）。
この特許文献１に記載の可動部は、レンズホルダと、このレンズホルダのトラッキング方向で対向する両側面にそれぞれ取り付けられた一対の中継基板と、レンズホルダのタンジェンシャル方向で対向する両側面にそれぞれ配置された一対のフォーカシング用コイルおよび一対のトラッキング用コイルとを有している。そして、これら構成部材間は、接着剤で強固に固定されている。また、レンズホルダは、一対のフォーカシング用コイル同士と、一対のトラッキング用コイル同士は、それぞれの組み合わせで結線されながら、レンズホルダの円筒部の中心軸線に対して線対称となる配置で取り付けられている。
【０００３】
【特許文献１】特開２００６−２３６４９６号公報
【発明の開示】
【発明が解決しようとする課題】
【０００４】
ところで、特許文献１では、一対のフォーカシング用コイル同士、あるいは、一対のトラッキング用コイル同士の結線方法が開示されていない。そこで、例えば一対のフォーカシング用コイル同士を結線する結線コイルを、円筒部の周囲を経由させることが考えられる。しかしながら、このように結線する構成では、結線コイルが円筒部から離れてしまい、他の部材に接触することで可動部の移動が規制されたり、電気的なショートが発生したり、可動部のバランスが崩れて精度よく記録媒体に対する処理をできなくなるおそれがあり、結線コイルを精度よく配線する必要がある。また、結線コイルを円筒部から離さないために、ＵＶ硬化型接着剤で仮接着した後に熱硬化型接着剤で本接着することが考えられるが、製造工程が複雑になってしまう。
【０００５】
本発明は、可動部のアンバランス化を抑制可能かつ容易に製造可能な光学ピックアップ装置を提供することを１つの目的とする。
【課題を解決するための手段】
【０００６】
請求項１に記載の発明は、ベース部材と、このベース部材に固定される支持部と、レンズを有する可動部と、前記支持部に対して前記可動部を移動させる動作制御部と、を具備し、前記動作制御部は、コイルを保持し、前記可動部に設けられた一対のコイル保持部と、前記コイルと隙間を介して略対向する状態で前記ベース部材に設けられた一対の磁石と、前記コイル同士を直列に接続し、前記可動部にインサート成形されたコイル接続部と、前記支持部と前記可動部とを連結するとともに前記コイル接続部に電気的に接続された第１の弾性部および第２の弾性部と、を備え、前記コイルへの通電により発生する電磁力で前記可動部を往復移動させ、前記コイル接続部は、前記一対のコイル保持部の中間に位置する一端がトラッキング方向の一方向側に設けられた前記第１の弾性部に接続されるとともに、他端が一方の前記コイル保持部における前記一方向側で前記コイルに接続された第１の通電部と、前記中間に位置する一端が前記トラッキング方向の他方側に設けられた前記第２の弾性部に接続されるとともに、他端が前記他方のコイル保持部における前記他方向側で前記コイルに接続された第２の通電部と、一端が前記一方のコイル保持部におけるトラッキング方向の他方向側で前記コイルに接続されるとともに、他端が他方の前記コイル保持部における前記一方向側で前記コイルに接続され、フォーカス方向からの平面視で前記可動部の中心に対して略点対称な形状に形成された第３の通電部と、を備えていることを特徴とする光学ピックアップ装置である。
【発明を実施するための最良の形態】
【０００７】
以下、本発明の実施形態を図面に基づいて説明する。
図１は、本発明の一実施形態に係る光学ピックアップ装置の斜視図である。図２は、光学ピックアップ装置のフォーカス方向Ｆ１側からの平面図である。図３は、光学ピックアップ装置のフォーカス方向Ｆ２側からの平面図である。図４は、図２のIV−IV線に沿った断面図である。図５は、光学ピックアップ装置の位置調整方向Ｐ１側からの側面図である。図６は、図２のVI−VI線に沿った断面図である。図７は、トラッキング端子およびフォーカス端子を示す図である。図８は、第１，第２のトラッキングサスペンションおよびトラッキングコイル接続部材を示す平面図である。図９は、第１〜第４のフォーカスサスペンションおよび第１，第２のフォーカス接続部材を示す平面図である。図１０は、フォーカス方向位置決め部材の断面図である。
【０００８】
［光学ピックアップ装置の全体構成］
図１および図２において、光学ピックアップ装置１は、ベース部材としてのアクチュエータベース１０と、ピックアップアクチュエータ２０と、フォーカス方向動作規制部としてのフォーカス方向位置決め部材４０と、を備えている。光学ピックアップ装置１は、例えばＣＤやＤＶＤあるいはＢＤなどの記録媒体に情報を記録、または記録された情報を再生する記録媒体駆動装置に組み込まれている。光学ピックアップ装置１は、このような記録媒体駆動装置に格納された記録媒体の情報記録面に対向する位置に、この記録媒体の径方向に移動可能に取付けられている。
なお、以下において、記録媒体の径方向の一方側および他方側をそれぞれトラッキング方向Ｔ１，Ｔ２と、記録媒体の情報記録面と直交する方向の一方側および他方側をそれぞれフォーカス方向Ｆ１，Ｆ２と、トラッキング方向Ｔ１およびフォーカス方向Ｆ１と直交する方向の一方側および他方側をそれぞれ位置調整方向Ｐ１，Ｐ２と、称して説明する。
【０００９】
〔アクチュエータベースの構成〕
アクチュエータベース１０は、図示しないピックアップ支持体に取付けられている。このピックアップ支持体は、図示しない駆動機構に接続され、駆動機構の制御により光学ピックアップ装置１を記録媒体の面に沿ってトラッキング方向Ｔ１，Ｔ２へ移動させる。また、ピックアップ支持体には、図示しないＣＤ−ＤＶＤ用レーザ光源と、ＢＤ用レーザ光源とが取り付けられている。
そして、このＣＤ−ＤＶＤ用レーザ光源から出射された７８０ｎｍのＣＤ用レーザ光または６５０ｎｍのＤＶＤ用レーザ光は、光学系により構成される光路を通って後述する第１のレンズ２４１の下方に至る。また、ＢＤ用レーザ光源から出射された４０５ｎｍのＢＤ用レーザ光は、後述する第２のレンズ２４２の下方に至る。各レンズ２４１，２４２の下方には立ち上げミラー（図示せず）が配置されており、各レーザ光は立ち上げミラーにより上方へ進路変更されて各レンズ２４１，２４２を下から上へと通過する。各レンズ２４１，２４２の上方には図示しない記録媒体が配置され、各レンズ２４１，２４２は各レーザ光を記録媒体の情報記録面に集光する。
【００１０】
アクチュエータベース１０は、図３に示すように、略矩形板状のサスペンションベース配置部１１を備えている。このサスペンションベース配置部１１の略中央には、図４に示すように、位置決め孔１２が設けられている。さらに、この位置決め孔１２のトラッキング方向Ｔ１，Ｔ２側には、挿入孔１３が設けられている。また、図５にも示すように、サスペンションベース配置部１１の位置調整方向Ｐ１側の側縁には、フォーカス方向Ｆ１に延びる第１のヨーク１４が設けられている。この第１のヨーク１４には、フォーカス方向Ｆ１側の端部から略中央にかけて延び、底部が略Ｖ字状に形成された被係合部としての第１の係合溝部１４Ａが設けられている。
さらに、サスペンションベース配置部１１の位置調整方向Ｐ２側の側縁には、図１にも示すように、第２のヨーク１５と、第１のヨーク１４と離れる方向に延びる２個のベース架橋部１６と、が設けられている。第２のヨーク１５は、第１のヨーク１４と対向し、かつ、第１のヨーク１４よりも若干立ち上がり寸法が大きい形状を有している。また、第２のヨーク１５には、図６に示すように、フォーカス方向Ｆ１側に位置し、第１の係合溝部１４Ａよりもフォーカス方向Ｆ２の寸法が小さくかつ底部が略Ｖ字状に形成された被係合部としての第２の係合溝部１５Ａが設けられている。
また、ベース架橋部１６の延出方向の先端には、両者を連結するベース連結部１７が設けられている。そして、ベース連結部１７のサスペンションベース配置部１１側の側縁には、第２のヨーク１５と対向し、かつ、第２のヨーク１５と略等しい形状を有する第３のヨーク１８が設けられている。
【００１１】
〔ピックアップアクチュエータの構成〕
ピックアップアクチュエータ２０は、図１に示すように、アクチュエータベース１０のサスペンションベース配置部１１に固定される支持部としてのサスペンションベース２１と、サスペンションベース２１に対して移動可能な可動部２４と、サスペンションベース２１に対して可動部２４を移動させる動作制御部２７と、を備えている。
【００１２】
サスペンションベース２１は、略四角筒状のベース基部２１１を備えている。このベース基部２１１のトラッキング方向Ｔ１，Ｔ２側の側面（以下、ベーストラッキング側面と称す）には、図２および図５にも示すように、位置調整方向Ｐ１側かつフォーカス方向Ｆ１側からトラッキング方向Ｔ１，Ｔ２にそれぞれ略棒状に延びる第１，第２の弾性保持部２１２，２１３と、これら第１，第２の弾性保持部２１２，２１３のフォーカス方向Ｆ２側から略棒状に延びる第３，第４の弾性保持部２１４，２１５と、が設けられている。各弾性保持部２１２〜２１５の先端には、位置調整方向Ｐ２に延びる棒状部２１６が設けられている。また、ベース基部２１１には、ベーストラッキング面に隙間を介して対向し、かつ、棒状部２１６の間に位置するダンピング剤充填部２１７が設けられている。
また、ベーストラッキング面には、図４にも示すように、略長方形板状に膨出する爪係止部２１８が設けられている。
【００１３】
さらに、ベース基部２１１の位置調整方向Ｐ１側の側面の中央には、略長方形板状に膨出する係合部としての第１の係合突出部２１９が設けられている。この第１の係合突出部２１９は、トラッキング方向Ｔ１の寸法が第１の係合溝部１４Ａと略等しい大きさに設定されているとともに、フォーカス方向Ｆ２側の端部が円弧面状に形成され、第１の係合溝部１４Ａに係合している。
また、ベース基部２１１の位置調整方向Ｐ２側の側面には、図６にも示すように、略半円板に膨出する係合部としての第２の係合突出部２２０が設けられている。この第２の係合突出部２２０は、フォーカス方向Ｆ１側に設けられ、トラッキング方向Ｔ１の寸法が第２の係合溝部１５Ａと略等しい大きさに設定されているとともに、フォーカス方向Ｆ２側の端部が円弧面状に形成され、第２の係合溝部１５Ａに係合している。
また、サスペンションベース２１における位置調整方向Ｐ１側の側面には、フレキシブル基板２３（図１では図示せず）が取り付けられている。
【００１４】
可動部２４は、図１および図２に示すように、各レンズ２４１，２４２を位置調整方向Ｐ２に並べた状態で保持する略長方形板状のレンズホルダ２４３を備えている。このレンズホルダ２４３の位置調整方向Ｐ１，Ｐ２側の側縁には、フォーカス方向Ｆ２に延びる一対の基板取付部２４４が設けられている。また、レンズホルダ２４３のトラッキング方向Ｔ１，Ｔ２側の側縁には、トラッキング方向Ｔ１，Ｔ２に延びる２個の第１の固定アーム２４５が設けられている。
また、一対の基板取付部２４４のフォーカス方向Ｆ２側の端部には、図３に示すように、両者を連結する２個の固定連結部２４６がトラッキング方向Ｔ１に並んで設けられている。これらの固定連結部２４６の中央には、この両者とレンズホルダ２４３とを連結する中間連結部２４７が設けられている。また、固定連結部２４６の中央には、第１の固定アーム２４５と略等しい形状を有する合計２個の第２の固定アーム２４８がそれぞれ設けられている。さらに、第２の固定アーム２４８の位置調整方向Ｐ１，Ｐ２側には、第２の固定アーム２４８よりも短い合計４個の第３の固定アーム２４９がそれぞれ設けられている。
【００１５】
動作制御部２７は、図１〜図３に示すように、２個の磁石２７１と、コイル保持部としての２個のコイル基板２７２と、第１，第２のトラッキングサスペンション２７３，２７４と、第３の通電部としてのトラッキングコイル接続部材２７５と、第１〜第４のフォーカスサスペンション２７６〜２７９と、第１，第２のフォーカス接続部材２８０，２８１と、を備えている。
２個の磁石２７１は、略長方形板状に形成されており、第２，第３のヨーク１５，１８にそれぞれ取り付けられている。各磁石２７１におけるコイル基板２７２に対向する面には、所定の着磁パターンが形成されている。
【００１６】
コイル基板２７２は、略長方形板状に形成されており、磁石２７１に対向するように、可動部２４の基板取付部２４４にそれぞれ取り付けられている。コイル基板２７２の磁石２７１と対向する面には、コイルとしての図示しないトラッキングコイルと、第１の近傍コイルとしての図示しない第１のフォーカスコイルと、第２の近傍コイルとしての図示しない第２のフォーカスコイルと、が設けられている。
また、コイル基板２７２におけるフォーカス方向Ｆ１側には、トラッキングコイルに接続されたトラッキング端子２８２Ａがそれぞれ設けられている。さらに、フォーカス方向Ｆ２側には、各フォーカスコイルに接続された一対のフォーカス端子２８３Ａ，２８３Ｂがそれぞれ設けられている。
【００１７】
各トラッキングサスペンション２７３，２７４は、図５および図８にも示すように、各弾性保持部２１２，２１３と可動部２４とを連結するとともに、トラッキングコイルに電力を供給する。各トラッキングサスペンション２７３，２７４は、各弾性保持部２１２，２１３にインサート成形された第１，第２のサスペンション端子部２７３Ａ，２７４Ａを備えている。第１のサスペンション端子部２７３Ａは、第１の弾性保持部２１２から位置調整方向Ｐ１に突出する内側突出部２７３Ｂおよび外側突出部２７３Ｃを備えている。また、第１のサスペンション端子部２７３Ａには、トラッキング方向Ｔ１に隣接し位置調整方向Ｐ２に略線状に延びる一対の第１の弾性部としての第１のトラッキング弾性部２７３Ｄが設けられている。第２のサスペンション端子部２７４Ａには、可動部２４の中心を通り位置調整方向Ｐ１と平行なチルト軸Ｋ（図１参照）を中心にして各構成２７３Ｂ〜２７３Ｄと略線対称な形状を有する内側突出部２７４Ｂと、外側突出部２７４Ｃと、一対の第２の弾性部としての第２のトラッキング弾性部２７４Ｄと、が設けられている。
そして、内側突出部２７３Ｂ，２７４Ｂは、フレキシブル基板２３に半田Ｈ（図１では図示せず）で固定されている。
また、各トラッキング弾性部２７３Ｄ，２７４Ｄの先端には、一対のコイル基板２７２の中間（以下、基板中間位置と称す）から互いに近づく方向に延びた後に位置調整方向Ｐ１，Ｐ２にそれぞれ延びる第１，第２の通電部としての第１，第２のトラッキング通電部２７３Ｅ，２７４Ｅが設けられている。各トラッキング通電部２７３Ｅ，２７４Ｅの先端は、図２に示すように、位置調整方向Ｐ１，Ｐ２側のコイル基板２７２に半田Ｈ（図１では図示せず）で固定され、トラッキング方向Ｔ１，Ｔ２側のトラッキング端子２８２Ａを介してトラッキングコイルに電気的に接続されている。そして、各トラッキング通電部２７３Ｅ，２７４Ｅは、各トラッキング弾性部２７３Ｄ，２７４Ｄとの接続部分が第１の固定アーム２４５にインサート成形されている。
【００１８】
トラッキングコイル接続部材２７５は、図８に示すように、フォーカス方向Ｆ１からの平面視で可動部２４の中心に対して略点対称な形状に形成されている。
具体的には、トラッキングコイル接続部材２７５は、可動部２４のトラッキング方向Ｔ１，Ｔ２側にそれぞれ設けられ、一端から他端に向かうにしたがって可動部２４の中央に近づく略クランク状に形成された第１，第２のクランク部２７５Ａ，２７５Ｂを有している。各クランク部２７５Ａ，２７５Ｂの一端は、図２に示すように、位置調整方向Ｐ２，Ｐ１側のコイル基板２７２に半田Ｈ（図１では図示せず）で固定され、トラッキング方向Ｔ１，Ｔ２側のトラッキング端子２８２Ａを介してトラッキングコイルに電気的に接続されている。第１のクランク部２７５Ａの他端は、各レンズ２４１，２４２の間を通りかつトラッキング方向Ｔ２に延びる接続中間部２７５Ｃにより、第２のクランク部２７５Ｂの他端に連結されている。
また、トラッキングコイル接続部材２７５は、各クランク部２７５Ａ，２７５Ｂの他端側と、接続中間部２７５Ｃの全体とがレンズホルダ２４３にインサート成形されている。
そして、上述したような各トラッキングサスペンション２７３，２７４の各トラッキング通電部２７３Ｅ，２７４Ｅと、トラッキングコイル接続部材２７５と、により、一対のトラッキングコイルを直列に接続する第１のコイル接続部２９１が構成されている。
【００１９】
各フォーカスサスペンション２７６〜２７９は、図３に示すように、各弾性保持部２１４，２１５と可動部２４とを連結するとともに、各フォーカスコイルに電力を供給する。
各フォーカスサスペンション２７６，２７７は、図５および図９にも示すように、第３の弾性保持部２１４にインサート成形された第１，第２のサスペンション端子部２７６Ａ，２７７Ａを備えている。第１のサスペンション端子部２７６Ａは、第１のトラッキングサスペンション２７３の外側突出部２７３Ｃと略等しい形状の外側突出部２７６Ｃを備えている。また、第２のサスペンション端子部２７７Ａは、第１のトラッキングサスペンション２７３の内側突出部２７３Ｂと略等しい形状の内側突出部２７７Ｂを備えている。さらに、各サスペンション端子部２７６Ａ，２７７Ａには、第１のトラッキングサスペンション２７３の第１のトラッキング弾性部２７３Ｄと対向する第３の弾性部としての第１，第２のフォーカス弾性部２７６Ｄ，２７７Ｄが設けられている。
また、第１のフォーカス弾性部２７６Ｄの先端には、基板中間位置から位置調整方向Ｐ２、トラッキング方向Ｔ１、位置調整方向Ｐ２の順に延びる第１のフォーカス通電部２７６Ｅが設けられている。第２のフォーカス弾性部２７７Ｄの先端には、基板中間位置からトラッキング方向Ｔ１、位置調整方向Ｐ１の順に延びる第２のフォーカス通電部２７７Ｅが設けられている。各フォーカス通電部２７６Ｅ，２７７Ｅの先端は、図３に示すように、位置調整方向Ｐ２，Ｐ１側のコイル基板２７２に半田Ｈで固定され、トラッキング方向Ｔ１側のフォーカス端子２８３Ａを介して第１のフォーカスコイルに電気的に接続されている。
【００２０】
各フォーカスサスペンション２７８，２７９は、チルト軸Ｋを中心にして、各フォーカスサスペンション２７７，２７６と線対称な形状に形成されている。つまり、第３のフォーカスサスペンション２７８は、各構成２７７Ａ，２７７Ｂ，２７７Ｄ，２７７Ｅと対称な形状を有する第３のサスペンション端子部２７８Ａと、内側突出部２７８Ｂと、第４の弾性部としての第３のフォーカス弾性部２７８Ｄと、第３のフォーカス通電部２７８Ｅと、を備えている。また、第４のフォーカスサスペンション２７９は、各構成２７６Ａ，２７６Ｃ，２７６Ｄ，２７６Ｅと対称な形状を有する第４のサスペンション端子部２７９Ａと、外側突出部２７９Ｃと、第４の弾性部としての第４のフォーカス弾性部２７９Ｄと、第４のフォーカス通電部２７９Ｅと、を備えている。各フォーカス通電部２７８Ｅ，２７９Ｅの先端は、位置調整方向Ｐ１，Ｐ２側のコイル基板２７２に半田Ｈで固定され、トラッキング方向Ｔ２側のフォーカス端子２８３Ａを介して第２のフォーカスコイルに電気的に接続されている。また、内側突出部２７７Ｂ，２７８Ｂと、外側突出部２７６Ｃ，２７９Ｃと、は、フレキシブル基板２３に半田Ｈで固定されている。
そして、各サスペンション２７３，２７４，２７６〜２７９の各弾性部２７３Ｄ，２７４Ｄ，２７６Ｄ，２７７Ｄ，２７８Ｄ，２７９Ｄ（以下、２７６Ｄ〜２７９Ｄと称す）は、棒状部２１６とダンピング剤充填部２１７とで略区画形成された充填領域Ｄ（図２および図４参照）に充填された図示しないダンピング剤により、サスペンションベース２１に固定されている。
【００２１】
各フォーカス接続部材２８０，２８１は、チルト軸Ｋを中心にして線対称な略線状に形成されている。各フォーカス接続部材２８０，２８１は、両端がコイル基板２７２に半田Ｈで固定され、トラッキング方向Ｔ１，Ｔ２側のフォーカス端子２８３Ｂを介して各フォーカスコイルに電気的に接続されている。
また、各フォーカス接続部材２８０，２８１は、略全体が固定連結部２４６にインサート成形されている。
【００２２】
そして、図９に示すように、上述したような各フォーカスサスペンション２７６，２７７の各フォーカス通電部２７６Ｅ，２７７Ｅと、第１のフォーカス接続部材２８０と、により、第１のフォーカスコイルを直列に接続する第１の近傍コイル接続部としての第２のコイル接続部２９２が構成されている。また、各フォーカスサスペンション２７８，２７９の各フォーカス通電部２７８Ｅ，２７９Ｅと、第２のフォーカス接続部材２８１と、により、第２のフォーカスコイルを直列に接続する第２の近傍コイル接続部としての第３のコイル接続部２９３が構成されている。
【００２３】
そして、可動部２４は、フレキシブル基板２３、各トラッキングサスペンション２７３，２７４、および、トラッキングコイル接続部材２７５を介して、トラッキングコイルに駆動電流が通電されると、トラッキングコイル内の電流と磁石２７１の磁界とにより生じる力により、トラッキング方向Ｔ１，Ｔ２に移動する。また、可動部２４は、フレキシブル基板２３、各フォーカスサスペンション２７６〜２７９、および、各フォーカス接続部材２８０，２８１を介して、各フォーカスコイルに駆動電流が通電されて、各フォーカスコイルの駆動電流により生じる力がフォーカス方向Ｆ１またはフォーカス方向Ｆ２で同じ場合にフォーカス方向Ｆ１，Ｆ２に移動し、フォーカス方向Ｆ１とフォーカス方向Ｆ２とで異なる場合にチルト方向Ｃに移動する。
【００２４】
フォーカス方向位置決め部材４０は、図２〜図４、および、図１０に示すように、略コ字状に形成されている。具体的には、フォーカス方向位置決め部材４０は、略十字板状の基部４１を有している。この基部４１の一面の中央には、フォーカス方向Ｆ１に円柱状に膨出し、位置決め孔１２に係合する位置決め膨出部４２が設けられている。また、基部４１の対向する一対の端部には、フォーカス方向Ｆ１に略板状に延びて挿入孔１３に挿入される側板部４３が設けられている。そして、この側板部４３の先端には、互いに対向する方向に突出して、爪係止部２１８に係止される係止爪部４４が設けられている。これらの係止爪部４４は、基部４１に近づくにしたがって対向する側板部４３との間隔が小さくなるように傾斜する傾斜面部４５を備えている。また、係止爪部４４のフォーカス方向Ｆ２側の端部には、円弧面状に形成されて爪係止部２１８と線接触する動作規制接触部４６が設けられている。
【００２５】
ここで、図５および図６に示すように、各係合溝部１４Ａ，１５Ａと、各係合突出部２１９，２２０と、により、アクチュエータベース１０に対するサスペンションベース２１のトラッキング方向Ｔ１，Ｔ２への動きを規制するトラッキング方向動作規制部５１が構成されている。そして、図４にも示すように、このトラッキング方向動作規制部５１と、フォーカス方向位置決め部材４０と、により、アクチュエータベース１０に対してサスペンションベース２１を位置調整方向Ｐ１，Ｐ２へ調整可能に位置決めする位置決め部５０が構成されている。
【００２６】
［光学ピックアップ装置の作用効果］
以上の光学ピックアップ装置１によれば、以下の作用効果が期待できる。
（１）一対のコイル基板２７２にそれぞれ設けられたトラッキングコイルを直列に接続する第１のコイル接続部２９１を、各トラッキング通電部２７３Ｅ，２７４Ｅと、トラッキングコイル接続部材２７５とで構成し、各レンズ２４１，２４２を有する可動部２４にインサート成形している。そして、各トラッキング通電部２７３Ｅ，２７４Ｅの基板中間位置にある一端を各トラッキング弾性部２７３Ｄ，２７４Ｄに接続するとともに、他端を位置調整方向Ｐ１，Ｐ２側のコイル基板２７２におけるトラッキング方向Ｔ１，Ｔ２側でトラッキングコイルに接続している。さらに、トラッキングコイル接続部材２７５の一端を位置調整方向Ｐ１側のコイル基板２７２におけるトラッキング方向Ｔ２側でトラッキングコイルに接続するとともに、他端を位置調整方向Ｐ２側のコイル基板２７２におけるトラッキング方向Ｔ１側でトラッキングコイルに接続し、フォーカス方向Ｆ１から平面視で可動部２４の中心に対して略点対称な形状に形成している。
このため、トラッキングコイルを直列接続する第１のコイル接続部２９１を可動部２４にインサート成形しているため、容易に製造できる。さらに、第１のコイル接続部２９１が可動部２４から離れることがなく、可動部４の移動の規制や電気的なショートを防止できる。そして、各トラッキング通電部２７３Ｅ，２７４Ｅとトラッキングコイル接続部材２７５を上述した形状にしているため、可動部２４のアンバランス化を防止できる。さらに、トラッキングコイル接続部材２７５を可動部２４のトラッキング方向Ｔ１側からトラッキング方向Ｔ２側にかけて設けているため、可動部２４の機械的な強度を向上できる。
【００２７】
（２）トラッキングコイル接続部材２７５の中間部を各レンズ２４１，２４２の間に位置させているため、ＣＤ、ＤＶＤ、ＢＤを処理可能であり、かつ、可動部２４の中央部の機械的な強度を向上させた光学ピックアップ装置１を提供できる。
【００２８】
（３）光学ピックアップ装置１に、各フォーカスコイルをそれぞれ直列接続する各コイル接続部２９２，２９３と、各トラッキング弾性部２７３Ｄ，２７４Ｄに略対向して各コイル接続部２９２，２９３に接続された各フォーカス弾性部２７６Ｄ〜２７９Ｄとを設けている。そして、各コイル接続部２９２，２９３の第１，第４の各フォーカス通電部２７６Ｅ，２７９Ｅ、第２，第３の各フォーカス通電部２７７Ｅ，２７８Ｅ、各フォーカス接続部材２８０，２８１を、それぞれチルト軸Ｋを中心にして線対称な形状にすることで、可動部２４の重心を可動部２４の中心に位置させている。
このため、トラッキングコイルと一対のフォーカスコイルとを有し、トラッキング方向Ｔ１，Ｔ２、フォーカス方向Ｆ１，Ｆ２、チルト方向Ｃへ可動部２４を移動させる構成においても、各サスペンション２７３，２７４，２７６〜２７９の配置によるアンバランス化を防止できる。さらに、各コイル接続部２９２，２９３を可動部２４にインサート成形しているため、可動部２４の強度を向上できる。
【００２９】
（４）第１のトラッキングサスペンション２７３に一対の第１のトラッキング弾性部２７３Ｄをトラッキング方向Ｔ１に隣接して設けるとともに、第２のトラッキングサスペンション２７４に、一対の第２のトラッキング弾性部２７４Ｄをトラッキング方向Ｔ１に隣接して設けている。このため、可動部２４におけるフォーカス方向Ｆ１側の各トラッキング弾性部２７３Ｄ，２７４Ｄの合計と、フォーカス方向Ｆ２側の各フォーカス弾性部２７６Ｄ〜２７９Ｄの合計とを同じにでき、各フォーカス方向Ｆ１，Ｆ２側での各弾性部２７３Ｄ，２７４Ｄ，２７６Ｄ〜２７９Ｄの数の違いによるアンバランス化を抑制できる。
【００３０】
（５）また、図２および図３に示すように、各通電部２７３Ｅ，２７４Ｅ，２７６Ｅ，２７７Ｅ，２７８Ｅ，２７９Ｅ、各接続部材２７５，２８０，２８１とコイル基板２７２との半田Ｈでの接続位置を、フォーカス方向Ｆ１から平面視で可動部２４の中心に対して略点対称な位置に設定している。
このため、その重みで可動部２４のバランス化に大きな影響を与える半田Ｈでの接続位置を上述のような略点対称な位置に設定しているため、各位置調整方向Ｐ１，Ｐ２側での半田Ｈの数の違いによるアンバランス化を抑制できる。
【００３１】
［他の実施形態］
なお、本発明は前述の一実施形態に限定されるものではなく、本発明の目的を達成できる範囲での変形、改良などは本発明に含まれるものである。
【００３２】
すなわち、第１，第２のトラッキング弾性部２７３Ｄ，２７４Ｄは、それぞれ１本ずつでもよい。
さらに、本発明をフォーカス方向Ｆ１，Ｆ２、または、トラッキング方向Ｔ１，Ｔ２のみに可動部２４を移動させる構成に適用してもよい。
【００３３】
また、本発明を各レンズ２４１，２４２のうち一方のみを有する光学ピックアップ装置に適用してもよい。
その他、本発明の実施の際の具体的な構造および手順は、本発明の目的を達成できる範囲で他の構造などに適宜変更できる。
【００３４】
［実施形態の作用効果］
上記したように、一対のコイル基板２７２のトラッキングコイルを直列接続する第１のコイル接続部２９１を可動部２４にインサート成形して、第１のコイル接続部２９１の各トラッキング通電部２７３Ｅ，２７４Ｅの基板中間位置の一端を各トラッキング弾性部２７３Ｄ，２７４Ｄに接続するとともに、他端を位置調整方向Ｐ１，Ｐ２側のコイル基板２７２におけるトラッキング方向Ｔ１，Ｔ２側でトラッキングコイルに接続している。さらに、第１のコイル接続部２９１のトラッキングコイル接続部材２７５の一端、他端をそれぞれ位置調整方向Ｐ１，Ｐ２側のコイル基板２７２におけるトラッキング方向Ｔ２，Ｔ１側でトラッキングコイルに接続し、フォーカス方向Ｆ１から平面視で可動部２４の中心に対して略点対称な形状に形成している。
このため、トラッキングコイルを直列接続する第１のコイル接続部２９１を可動部２４にインサート成形しているため、容易に製造できる。さらに、第１のコイル接続部２９１が可動部２４から離れることがなく、可動部４の移動の規制や電気的なショートを防止できる。そして、各トラッキング通電部２７３Ｅ，２７４Ｅとトラッキングコイル接続部材２７５を上述した形状にしているため、可動部２４のアンバランス化を防止できる。さらに、トラッキングコイル接続部材２７５を可動部２４のトラッキング方向Ｔ１側からトラッキング方向Ｔ２側にかけて設けているため、可動部２４の機械的な強度を向上できる。
【図面の簡単な説明】
【００３５】
【図１】本発明の一実施形態に係る光学ピックアップ装置の斜視図である。
【図２】前記光学ピックアップ装置のフォーカス方向Ｆ１側からの平面図である。
【図３】前記光学ピックアップ装置のフォーカス方向Ｆ２側からの平面図である。
【図４】図２のIV−IV線に沿った断面図である。
【図５】前記光学ピックアップ装置の位置調整方向Ｐ１側からの側面図である。
【図６】図２のVI−VI線に沿った断面図である。
【図７】トラッキング端子およびフォーカス端子を示す図である。
【図８】第１，第２のトラッキングサスペンションおよびトラッキングコイル接続部材を示す平面図である。
【図９】第１〜第４のフォーカスサスペンションおよび第１，第２のフォーカス接続部材を示す平面図である。
【図１０】フォーカス方向位置決め部材の断面図である。
【符号の説明】
【００３６】
１…光学ピックアップ装置
１０…ベース部材としてのアクチュエータベース
２１…支持部としてのサスペンションベース
２４…可動部
２７…動作制御部
２４１，２４２…第１，第２のレンズ
２７１…磁石
２７２…コイル保持部としてのコイル基板
２７３Ｄ，２７４Ｄ…第１，第２の弾性部としての第１，第２のトラッキング弾性部
２７３Ｅ，２７４Ｅ…第１，第２の通電部としての第１，第２のトラッキング通電部
２７５…第３の通電部としてのトラッキングコイル接続部材
２７６Ｄ，２７７Ｄ…第３の弾性部としての第１，第２のフォーカス弾性部
２７８Ｄ，２７９Ｄ…第４の弾性部としての第３，第４のフォーカス弾性部
２９１…第１のコイル接続部
２９２…第１の近傍コイル接続部としての第２のコイル接続部
２９３…第２の近傍コイル接続部としての第３のコイル接続部
【図１】
2010176726.tif 000003
【図２】
2010176726.tif 000004
【図３】
2010176726.tif 000005
【図４】
2010176726.tif 000006
【図５】
2010176726.tif 000007
【図６】
2010176726.tif 000008
【図７】
2010176726.tif 000009
【図８】
2010176726.tif 000010
【図９】
2010176726.tif 000011
【図１０】
2010176726.tif 000012